(57)【要約】【課題】文字や図形等の輪郭をくっきりと浮かび上がらせることができて意匠性等に優れる表示装置を提供する。【解決手段】表示装置１０は、透明板１２と、表示部１４と、光源部１６と、反射部１８を備える。表示部１４の透明板１２に向けた側に反射面２０が設けられる。光源部１６から透明板１２の内部に導入される光は、透明板１２と外部の屈折率の違いにより、また反射部１８および反射面２０が設けられていることにより、透明板１２の内部で反射を繰り返し、透明板１２の内部全体にわたって光が拡散し、表示部１４の設けられている側から外部に照射される。このとき、表示部１４の縁の周辺には他の部分よりは輝度の大きな帯状部が形成される。【選択図】図１
0003149653.tif 000002
【実用新案登録請求の範囲】
【請求項１】
透明板と、該透明板の表側に設けられ、文字もしくは図形またはこれらの組み合わせからなる有色の表示部と、該透明板内に実質的に光の全量を導入するように構成される光源部と、該透明板の裏側に該透明板に実質的に接して設けられる反射部を有し、該表示部の該透明板の内部に向けた側に反射面が設けられることを特徴とする表示装置。
【請求項２】
前記反射面が粗面に形成されることを特徴とする請求項１記載の表示装置。
【請求項３】
前記反射部の前記表示部の投影領域が粗面に形成されることを特徴とする請求項１または２記載の表示装置。
【請求項４】
前記光源部の光を前記透明板の側端面から該透明板内に導入することを特徴とする請求項１〜３のいずれか１項に記載の表示装置。
【請求項５】
前記光源部の光源が発光ダイオードであることを特徴とする請求項１〜４のいずれか１項に記載の表示装置。
【請求項６】
前記透明板の厚みが３〜１０ｍｍであることを特徴とする請求項１〜５のいずれか１項に記載の表示装置。
【考案の詳細な説明】
【技術分野】
【０００１】
本考案は、文字等を背後からの光の中に浮かび上がらせることにより、例えば広告板等に用いたときの視認性と意匠性に優れる表示装置に関するものである。
【背景技術】
【０００２】
従来、バックライトを用いた電飾看板等の表示板が種々提案されている。例えば、箱体の前面に形成した開口に透光性のカバーを設け、箱体内部に収容した蛍光灯等でカバーに印字した文字を表示することは、非常口表示灯等に多く採用されている。
【０００３】
ところで、近年、低消費電力かつ長寿命で、さらに小型で比較的安価な光源として発光ダイオード（ＬＥＤ）が広く採用されている。上記の表示板においても、発光ダイオードを光源として用いることが行われており、このときさらに、文字等の表示部を均一に照らし、あるいは表示部とその周辺のコントラストをつける等して、見易さや見た目の面白さ等に工夫を凝らし、意匠性を高めたものも種々提案されている。
【０００４】
例えば、図７に示す透光性表示板が提案されている（特許文献１参照。）。この透光性表示板１は、透光板２の背面に鏡面領域３と粗面領域４を形成する。鏡面領域３に反射層５を被覆して鏡面反射部Ｍが設けられ、粗面領域４にインキ層６を被覆して表示部Ｎが設けられる。発光ダイオード７からの光を端面を通して透光性表示板１内に導入して内部反射させることで、粗面領域４の表示部Ｎを明るく照明することができ、また、正面のどの方向からも表示を視認することができ、さらにまた、光の中に文字等が浮かび上がることで表示のコントラストが高いとされている。
また、図８に示す内照式表示プレートが提案されている（特許文献２参照。）。この内照式表示プレートは、内面８ａに文字等の表示文字類Ｘを記した透光姓プレート８と、ミラープレート９とを、透光姓プレート８の内面８ａとミラープレート９の表面９ａとが対応し、かつ透光姓プレート８が外面になるように接合させ、その上下の接合端面より光を受け入れる構造にしている。これにより、面発光することで、表示文字類がくっきりと際立ち、見た目にも好印象を与えるとされている。
【特許文献１】特開２００２−３５１３６６号公報
【特許文献２】実用新案登録第３０３９１８５号公報
【考案の開示】
【考案が解決しようとする課題】
【０００５】
しかしながら、従来の表示板等はいずれも、視認性や意匠性の面ではさらなる改善の余地がある。
【０００６】
本考案は、上記の課題に鑑みてなされたものであり、文字や図形等の輪郭をくっきりと浮かび上がらせることができて意匠性等に優れる表示装置を提供することを目的とする。
【課題を解決するための手段】
【０００７】
本考案に係る表示装置は、透明板と、該透明板の表側に設けられ、文字もしくは図形またはこれらの組み合わせからなる有色の表示部と、該透明板内に実質的に光の全量を導入するように構成される光源部と、該透明板の裏側に該透明板に実質的に接して設けられる反射部を有し、該表示部の該透明板の内部に向けた側に反射面が設けられることを特徴とする。
【０００８】
また、本考案に係る表示装置は、好ましくは、前記反射面が粗面に形成されることを特徴とする。
【０００９】
また、本考案に係る表示装置は、好ましくは、前記反射部の前記表示部の投影領域が粗面に形成されることを特徴とする。
【００１０】
また、本考案に係る表示装置は、好ましくは、前記光源部の光を前記透明板の側端面から該透明板内に導入することを特徴とする。
【００１１】
また、本考案に係る表示装置は、好ましくは、前記光源部の光源が発光ダイオードであることを特徴とする。
【００１２】
また、本考案に係る表示装置は、好ましくは、前記透明板の厚みが３〜１０ｍｍであることを特徴とする。
【考案の効果】
【００１３】
本考案に係る表示装置は、透明板と、透明板の表側に設けられ、文字もしくは図形またはこれらの組み合わせからなる有色の表示部と、透明板内に実質的に光の全量を導入するように構成される光源部と、透明板の裏側に透明板に実質的に接して設けられる反射部を有し、表示部の透明板の内部に向けた側に反射面が設けられるため、表示部の縁の周辺を細帯状に、より明るく照明して、表示部の輪郭を明瞭に浮かび上がらせることができ、表示部の視認性と意匠性に優れる。
【考案を実施するための最良の形態】
【００１４】
本考案に係る表示装置の実施の形態について説明する。
【００１５】
本実施の形態に係る表示装置について、図１を参照して説明する。
図１に示す表示装置１０は、透明板１２と、表示部１４と、光源部１６と、反射部（光反射部）１８を備える。表示部１４の透明板１２の内部に向けた側には、反射面（光反射面）２０が設けられる。
光源部１６から透明板１２の内部に導入される光は、透明板１２と外部（空気）の屈折率の違いにより、また、反射部１８が設けられていることにより、透明板１２の内部で反射を繰り返し、透明板１２の内部全体にわたって光が拡散し、表示部１４の設けられている側から外部に放射（照明）される。
これにより、表示部１４は照明のなかに浮き上がったような状態に視認することできる。このときさらに、反射面２０が設けられていることで、表示部１４の縁の周辺には他の部分よりは輝度の大きな帯状部が形成されるため、表示部１４とその周辺とのコントラストが大きくなり、表示部１４の輪郭が明瞭になる。このため、表示部１４の視認性に優れるとともに、表示部１４あるいは表示部１４を含む表示装置１０全体の意匠性に優れる。
【００１６】
透明板１２は、透明性を有するものである限りその材料を特に限定するものではない。用途によっては例えばガラスや石英等の板を用いると重厚感や高級感を得ることができて好ましい。一方、透明樹脂、特に透明アクリル樹脂を用いると軽量かつ安価である点において好ましい。透明板１２の透明性の程度は、本考案の効果を奏す限り特に限定するものではない。透明板１２は、表示部１４の色との違いが明瞭である限り、無色、有色を問わないが、両者のコントラストの大きな色とすることが好ましい。これらの材料は適宜容易に入手することができる。
透明板１２の厚みＤは特に限定するものではないが、３〜１０ｍｍであると、詳細を後述するように、表示部１４の縁の周辺をより細帯状でかつより高輝度に、よりくっきりと照明することができ、より好ましい。透明板１２の厚みＤが３ｍｍ未満の場合、装置の構造によっては透明板１２の全面にわたって光を均一に取り込み、照明することが不十分となるおそれがある。一方、透明板１２の厚みＤが１０ｍｍを超える場合、表示部１４の縁の周辺が幅広く、かつ輝度の低い帯部となって本考案の効果が損なわれるおそれがある。
【００１７】
表示部１４は、文字もしくは図形またはこれらの組み合わせからなり、有色である。ここで、有色とは、白色以外であって黒色を含む全ての色を言う。ただし、白色を完全に排除するものではなく、透明板１２の色との色相や明度が顕著に異なる場合には、白色を用いてもよい。表示部と周辺とののコントラストを十二分に得るうえでは、表示部１４を黒色等の濃い色とすることがより好ましい。
表示部１４は、例えば、上記の色を有する塗料を透明板１２の表面に塗布し、あるいはまたスクリーン印刷する等の方法によって形成することができ、また、上記の色を有する着色シートから文字等を切り抜いたものを透明板１２の表面に貼付あるいは密着して形成してもよい。さらにまた、例えば、透明板１２と同一材料の極薄透明板の表面に表示部１４を形成し、表示部１４の側を内側にして極薄透明板を透明板１２と接合して、表示部１４が露出しないように構成してもよい。
表示部１４の裏面に設けられる反射面２０は、適宜のものを用いることができ、例えば、銀やアルミニウム等の光反射率の大きな金属のシートを用い、このシートを表示部１４の裏面に貼付してもよく、また、これらの金属を表示部１４の裏面に蒸着等してもよい。また、反射面２０は、本考案の効果を奏する限り、例えば白色不透明シート等の反射率の大きな材料を適宜用いてもよい。これらの点は、後述する反射部１８についても同様である。
表示部１４の裏面に反射面２０を設けることで、表示部１４の縁の周辺を細帯状でかつ高輝度に、くっきりと照明することができる。
このとき、反射面２０を粗面に形成すると、表示部１４の縁の周辺をより細帯状でかつより高輝度に、よりくっきりと照明することができて、より好ましい。
【００１８】
光源部１６は、光源の種類を限定するものではなく、例えば蛍光灯や電球を用いてもよいが、低消費電力、長寿命および小型であり、かつ比較的安価であり、さらにまた透明板１２の内部に光を導入するために透明板１２に直接接して配置しても装置全体の小型化の支障とならない発光ダイオードを用いることが好ましい。
光源部１６は、透明板１２の内部に実質的に光の全量を導入できるように構成されるものである限り、適宜の態様とすることができる。
例えば、図１は、光源部１６の光源の光を透明板１２の側端面から透明板１２の内部に導入するものであり、これにより、透明板１２の全面に光を均一に導入することができる。ただし、これに代えて、例えば図２に示すように、表示装置１０ａは光源部１６ａの光源としての例えば発光ダイオードを透明板１２の表面の隅部に埋め込み、図１と同様に、光を透明板１２の側面から透明板１２の内部に導入するように構成してもよい。
なお、光源部１６、１６ａの光源の光を導入する側の透明板１２の幅寸法（図１または図２において紙面を貫通する方向の透明板１２の幅寸法）が大きい場合は、幅方向に発光ダイオード等の光源を適当な数配列して設けることが、光を幅方向に均一に導入するうえでより好ましいことは言うまでもない。
また、光源として、例えば、発光色の異なる複数の発光ダイオードを配列し、例えば一定時間ごとに自動切換えして使用すれば、表示部１４の背景となる照明の色が切り替わることで表示板１０を見る人の目をより引き付けることができて好ましい。
【００１９】
反射部１８は、反射面２０と同様の構成とすることができ、例えば、適宜の反射シートを透明板１２の裏面に貼付あるいは密接させて用いてもよく、また、反射性塗料等を透明板１２の裏面に塗布等して形成してもよい。
また、表示装置１０を、例えばホワイトボードのような反射性を有する壁等の部材に掲示等して用いる場合は、表示装置１０を壁等の部材に密着させ、あるいは両者がわずかに離間するのみの実質的に接した状態で設けることにより、壁等の部材が反射部１８となり、透明板１２の裏面に反射シートを設ける必要はない。
また、このとき、図３に示すように、表示装置１０ｂの反射部１８の表示部１４の投影領域１８ａを粗面に形成すると、表示部１４の縁の周辺をより細帯状でかつより高輝度に、よりくっきりと照明することができて、より好ましい。
【００２０】
本実施の形態に係る表示装置は、広告用の電飾装置、会社名やロゴの表示板や住居の表札等に好適に用いることができる。
【実施例】
【００２１】（実施例１）  厚みが５ｍｍで平面寸法が２６５ｍｍＷ×３３０ｍｍＬの無色透明のアクリル板の片面に、青色フィルムと不透明の白色フィルムとが張り合わせられたシートおよび銀色フィルムと不透明の白色フィルムとが張り合わせられたシートをそれぞれ切り抜いて、いずれも白色フィルムの側をアクリル板に向けて貼付して（公序良俗違反につき、不掲載）の文字（表示部）を上下２段に表示した（下段の文字色の濃い方が青色フィルムの分）。また、アクリル板の反対側片面にはアクリル板よりは平面寸法がやや大きい不透明の白色プレートを貼付した（反射部）。また、アクリル板の３３０ｍｍＬの方向から光がアクリル板の内部に導入されるように、赤色発光ダイオードを１８個配置した長さ３００ｍｍのテープをアクリル板の幅方向側端面に配置して、表示装置を得た。  得られた表示装置を暗室内に置き、赤色発光ダイオードを点灯させた状態で、表示部の側から撮影した表示装置の写真を図４に示す。【００２２】（実施例２）  厚みが５ｍｍで平面寸法が２３５ｍｍＷ×５００ｍｍＬの無色透明のアクリル板の片面に、黒色フィルムと不透明の白色フィルムとが張り合わせられたシートを切り抜いて、白色フィルムの側をアクリル板に向けて貼付して（公序良俗違反につき、不掲載）の文字（表示部）を表示した。また、アクリル板の反対側片面には、アクリル板と１０ｍｍの間隔をあけて不透明の白色プレートを配置した（反射部）。また、アクリル板の５００ｍｍＬの方向から光がアクリル板の内部に導入されるように、白色発光ダイオード（米国ＣＲＥＥ社製）を３０個配置した長さ５００ｍｍのテープをアクリル板の幅方向側端面に配置して、表示装置を得た。なお、表示装置の（公序良俗違反につき、不掲載）の文字の左側に２段に表示されるＳＨＯＴ  ＢＡＲおよびＴＨＥの文字は、不透明の白色フィルムを切り抜いて、アクリル板の反対側片面に貼付したものである。  得られた表示装置を暗室内に置き、白色発光ダイオードを点灯させた状態で、表示部の側から撮影した表示装置の写真を図５に示す。【００２３】（実施例３）  不透明の白色シートを省略するかわりに、表示装置を建物壁面から２０ｍｍ離間して配置し、また、（公序良俗違反につき、不掲載）の文字に変えてＰＵＢ  ＳＮＡＣＫおよび（公序良俗違反につき、不掲載）の文字を２段に表示した以外は実施例２と同様の条件で製作して表示装置を得、実施例２と同様の条件で撮像した。撮影した表示装置の写真を図６に示す。
【図面の簡単な説明】
【００２４】
【図１】本実施の形態に係る表示装置の概略側面図である。
【図２】光源の配置が図１と異なる本実施の形態に係る表示装置の概略側面図である。
【図３】反射部の構成が図１と異なる本実施の形態に係る表示装置の概略側面図である。
【図４】実施例１の表示装置の光源を点灯した状態の写真を示す図である。
【図５】実施例２の表示装置の光源を点灯した状態の写真を示す図である。
【図６】実施例３の表示装置の光源を点灯した状態の写真を示す図である。
【図７】従来例の透光性表示板を説明するための図である。
【図８】図７とは異なる従来例の透光性表示板を説明するための図である。
【符号の説明】
【００２５】
１０、１０ａ、１０ｂ  表示装置
１２  透明板
１４  表示部
１６  光源部
１８  反射部
１８ａ  投影領域
２０  反射面
【図１】
0003149653.tif 000003
【図２】
0003149653.tif 000004
【図３】
0003149653.tif 000005
【図７】
0003149653.tif 000006
【図８】
0003149653.tif 000007
【図４】
0003149653.tif 000008
【図５】
0003149653.tif 000009
【図６】
0003149653.tif 000010
【手続補正書】
【提出日】平成21年2月3日(2009.2.3)
【手続補正１】
【補正対象書類名】明細書
【補正対象項目名】全文
【補正方法】変更
【補正の内容】
【考案の詳細な説明】
【技術分野】
【０００１】
本考案は、文字等を背後からの光の中に浮かび上がらせることにより、例えば広告板等に用いたときの視認性と意匠性に優れる表示装置に関するものである。
【背景技術】
【０００２】
従来、バックライトを用いた電飾看板等の表示板が種々提案されている。例えば、箱体の前面に形成した開口に透光性のカバーを設け、箱体内部に収容した蛍光灯等でカバーに印字した文字を表示することは、非常口表示灯等に多く採用されている。
【０００３】
ところで、近年、低消費電力かつ長寿命で、さらに小型で比較的安価な光源として発光ダイオード（ＬＥＤ）が広く採用されている。上記の表示板においても、発光ダイオードを光源として用いることが行われており、このときさらに、文字等の表示部を均一に照らし、あるいは表示部とその周辺のコントラストをつける等して、見易さや見た目の面白さ等に工夫を凝らし、意匠性を高めたものも種々提案されている。
【０００４】
例えば、図６に示す透光性表示板が提案されている（特許文献１参照。）。この透光性表示板１は、透光板２の背面に鏡面領域３と粗面領域４を形成する。鏡面領域３に反射層５を被覆して鏡面反射部Ｍが設けられ、粗面領域４にインキ層６を被覆して表示部Ｎが設けられる。発光ダイオード７からの光を端面を通して透光性表示板１内に導入して内部反射させることで、粗面領域４の表示部Ｎを明るく照明することができ、また、正面のどの方向からも表示を視認することができ、さらにまた、光の中に文字等が浮かび上がることで表示のコントラストが高いとされている。
また、図７に示す内照式表示プレートが提案されている（特許文献２参照。）。この内照式表示プレートは、内面８ａに文字等の表示文字類Ｘを記した透光姓プレート８と、ミラープレート９とを、透光姓プレート８の内面８ａとミラープレート９の表面９ａとが対応し、かつ透光姓プレート８が外面になるように接合させ、その上下の接合端面より光を受け入れる構造にしている。これにより、面発光することで、表示文字類がくっきりと際立ち、見た目にも好印象を与えるとされている。
【特許文献１】特開２００２−３５１３６６号公報
【特許文献２】実用新案登録第３０３９１８５号公報
【考案の開示】
【考案が解決しようとする課題】
【０００５】
しかしながら、従来の表示板等はいずれも、視認性や意匠性の面ではさらなる改善の余地がある。
【０００６】
本考案は、上記の課題に鑑みてなされたものであり、文字や図形等の輪郭をくっきりと浮かび上がらせることができて意匠性等に優れる表示装置を提供することを目的とする。
【課題を解決するための手段】
【０００７】
本考案に係る表示装置は、透明板と、該透明板の表側に設けられ、文字もしくは図形またはこれらの組み合わせからなる有色の表示部と、該透明板内に実質的に光の全量を導入するように構成される光源部と、該透明板の裏側に該透明板に実質的に接して設けられる反射部を有し、該表示部の該透明板の内部に向けた側に反射面が設けられることを特徴とする。
【０００８】
また、本考案に係る表示装置は、好ましくは、前記反射面が粗面に形成されることを特徴とする。
【０００９】
また、本考案に係る表示装置は、好ましくは、前記反射部の前記表示部の投影領域が粗面に形成されることを特徴とする。
【００１０】
また、本考案に係る表示装置は、好ましくは、前記光源部の光を前記透明板の側端面から該透明板内に導入することを特徴とする。
【００１１】
また、本考案に係る表示装置は、好ましくは、前記光源部の光源が発光ダイオードであることを特徴とする。
【００１２】
また、本考案に係る表示装置は、好ましくは、前記透明板の厚みが３〜１０ｍｍであることを特徴とする。
【考案の効果】
【００１３】
本考案に係る表示装置は、透明板と、透明板の表側に設けられ、文字もしくは図形またはこれらの組み合わせからなる有色の表示部と、透明板内に実質的に光の全量を導入するように構成される光源部と、透明板の裏側に透明板に実質的に接して設けられる反射部を有し、表示部の透明板の内部に向けた側に反射面が設けられるため、表示部の縁の周辺を細帯状に、より明るく照明して、表示部の輪郭を明瞭に浮かび上がらせることができ、表示部の視認性と意匠性に優れる。
【考案を実施するための最良の形態】
【００１４】
本考案に係る表示装置の実施の形態について説明する。
【００１５】
本実施の形態に係る表示装置について、図１を参照して説明する。
図１に示す表示装置１０は、透明板１２と、表示部１４と、光源部１６と、反射部（光反射部）１８を備える。表示部１４の透明板１２の内部に向けた側には、反射面（光反射面）２０が設けられる。
光源部１６から透明板１２の内部に導入される光は、透明板１２と外部（空気）の屈折率の違いにより、また、反射部１８が設けられていることにより、透明板１２の内部で反射を繰り返し、透明板１２の内部全体にわたって光が拡散し、表示部１４の設けられている側から外部に放射（照明）される。
これにより、表示部１４は照明のなかに浮き上がったような状態に視認することできる。このときさらに、反射面２０が設けられていることで、表示部１４の縁の周辺には他の部分よりは輝度の大きな帯状部が形成されるため、表示部１４とその周辺とのコントラストが大きくなり、表示部１４の輪郭が明瞭になる。このため、表示部１４の視認性に優れるとともに、表示部１４あるいは表示部１４を含む表示装置１０全体の意匠性に優れる。
【００１６】
透明板１２は、透明性を有するものである限りその材料を特に限定するものではない。用途によっては例えばガラスや石英等の板を用いると重厚感や高級感を得ることができて好ましい。一方、透明樹脂、特に透明アクリル樹脂を用いると軽量かつ安価である点において好ましい。透明板１２の透明性の程度は、本考案の効果を奏す限り特に限定するものではない。透明板１２は、表示部１４の色との違いが明瞭である限り、無色、有色を問わないが、両者のコントラストの大きな色とすることが好ましい。これらの材料は適宜容易に入手することができる。
透明板１２の厚みＤは特に限定するものではないが、３〜１０ｍｍであると、詳細を後述するように、表示部１４の縁の周辺をより細帯状でかつより高輝度に、よりくっきりと照明することができ、より好ましい。透明板１２の厚みＤが３ｍｍ未満の場合、装置の構造によっては透明板１２の全面にわたって光を均一に取り込み、照明することが不十分となるおそれがある。一方、透明板１２の厚みＤが１０ｍｍを超える場合、表示部１４の縁の周辺が幅広く、かつ輝度の低い帯部となって本考案の効果が損なわれるおそれがある。
【００１７】
表示部１４は、文字もしくは図形またはこれらの組み合わせからなり、有色である。ここで、有色とは、白色以外であって黒色を含む全ての色を言う。ただし、白色を完全に排除するものではなく、透明板１２の色との色相や明度が顕著に異なる場合には、白色を用いてもよい。表示部と周辺とののコントラストを十二分に得るうえでは、表示部１４を黒色等の濃い色とすることがより好ましい。
表示部１４は、例えば、上記の色を有する塗料を透明板１２の表面に塗布し、あるいはまたスクリーン印刷する等の方法によって形成することができ、また、上記の色を有する着色シートから文字等を切り抜いたものを透明板１２の表面に貼付あるいは密着して形成してもよい。さらにまた、例えば、透明板１２と同一材料の極薄透明板の表面に表示部１４を形成し、表示部１４の側を内側にして極薄透明板を透明板１２と接合して、表示部１４が露出しないように構成してもよい。
表示部１４の裏面に設けられる反射面２０は、適宜のものを用いることができ、例えば、銀やアルミニウム等の光反射率の大きな金属のシートを用い、このシートを表示部１４の裏面に貼付してもよく、また、これらの金属を表示部１４の裏面に蒸着等してもよい。また、反射面２０は、本考案の効果を奏する限り、例えば白色不透明シート等の反射率の大きな材料を適宜用いてもよい。これらの点は、後述する反射部１８についても同様である。
表示部１４の裏面に反射面２０を設けることで、表示部１４の縁の周辺を細帯状でかつ高輝度に、くっきりと照明することができる。
このとき、反射面２０を粗面に形成すると、表示部１４の縁の周辺をより細帯状でかつより高輝度に、よりくっきりと照明することができて、より好ましい。
【００１８】
光源部１６は、光源の種類を限定するものではなく、例えば蛍光灯や電球を用いてもよいが、低消費電力、長寿命および小型であり、かつ比較的安価であり、さらにまた透明板１２の内部に光を導入するために透明板１２に直接接して配置しても装置全体の小型化の支障とならない発光ダイオードを用いることが好ましい。
光源部１６は、透明板１２の内部に実質的に光の全量を導入できるように構成されるものである限り、適宜の態様とすることができる。
例えば、図１は、光源部１６の光源の光を透明板１２の側端面から透明板１２の内部に導入するものであり、これにより、透明板１２の全面に光を均一に導入することができる。ただし、これに代えて、例えば図２に示すように、表示装置１０ａは光源部１６ａの光源としての例えば発光ダイオードを透明板１２の表面の隅部に埋め込み、図１と同様に、光を透明板１２の側面から透明板１２の内部に導入するように構成してもよい。
なお、光源部１６、１６ａの光源の光を導入する側の透明板１２の幅寸法（図１または図２において紙面を貫通する方向の透明板１２の幅寸法）が大きい場合は、幅方向に発光ダイオード等の光源を適当な数配列して設けることが、光を幅方向に均一に導入するうえでより好ましいことは言うまでもない。
また、光源として、例えば、発光色の異なる複数の発光ダイオードを配列し、例えば一定時間ごとに自動切換えして使用すれば、表示部１４の背景となる照明の色が切り替わることで表示板１０を見る人の目をより引き付けることができて好ましい。
【００１９】
反射部１８は、反射面２０と同様の構成とすることができ、例えば、適宜の反射シートを透明板１２の裏面に貼付あるいは密接させて用いてもよく、また、反射性塗料等を透明板１２の裏面に塗布等して形成してもよい。
また、表示装置１０を、例えばホワイトボードのような反射性を有する壁等の部材に掲示等して用いる場合は、表示装置１０を壁等の部材に密着させ、あるいは両者がわずかに離間するのみの実質的に接した状態で設けることにより、壁等の部材が反射部１８となり、透明板１２の裏面に反射シートを設ける必要はない。
また、このとき、図３に示すように、表示装置１０ｂの反射部１８の表示部１４の投影領域１８ａを粗面に形成すると、表示部１４の縁の周辺をより細帯状でかつより高輝度に、よりくっきりと照明することができて、より好ましい。
【００２０】
本実施の形態に係る表示装置は、広告用の電飾装置、会社名やロゴの表示板や住居の表札等に好適に用いることができる。
【実施例】
【００２１】
（実施例１）
厚みが５ｍｍで平面寸法が２６５ｍｍＷ×３３０ｍｍＬの無色透明のアクリル板の片面に、青色フィルムと不透明の白色フィルムとが張り合わせられたシートおよび銀色フィルムと不透明の白色フィルムとが張り合わせられたシートをそれぞれ切り抜いて、いずれも白色フィルムの側をアクリル板に向けて貼付して「いいい」の文字（表示部）を表示した。また、アクリル板の反対側片面にはアクリル板よりは平面寸法がやや大きい不透明の白色プレートを貼付した（反射部）。また、アクリル板の３３０ｍｍＬの方向から光がアクリル板の内部に導入されるように、赤色発光ダイオードを１８個配置した長さ３００ｍｍのテープをアクリル板の幅方向側端面に配置して、表示装置を得た。
得られた表示装置を暗室内に置き、赤色発光ダイオードを点灯させた状態で、表示部の側から撮影した表示装置の写真を図４に示す。
【００２２】
（実施例２）
厚みが５ｍｍで平面寸法が２３５ｍｍＷ×５００ｍｍＬの無色透明のアクリル板の片面に、黒色フィルムと不透明の白色フィルムとが張り合わせられたシートを切り抜いて、白色フィルムの側をアクリル板に向けて貼付して「ｕｕｕ」の文字（表示部）を表示した。また、アクリル板の反対側片面には、アクリル板と１０ｍｍの間隔をあけて不透明の白色プレートを配置した（反射部）。また、アクリル板の５００ｍｍＬの方向から光がアクリル板の内部に導入されるように、白色発光ダイオード（米国ＣＲＥＥ社製）を３０個配置した長さ５００ｍｍのテープをアクリル板の幅方向側端面に配置して、表示装置を得た。
得られた表示装置を暗室内に置き、白色発光ダイオードを点灯させた状態で、表示部の側から撮影した表示装置の写真を図５に示す。
【図面の簡単な説明】
【００２３】
【図１】本実施の形態に係る表示装置の概略側面図である。
【図２】光源の配置が図１と異なる本実施の形態に係る表示装置の概略側面図である。
【図３】反射部の構成が図１と異なる本実施の形態に係る表示装置の概略側面図である。
【図４】実施例１の表示装置の光源を点灯した状態の写真を示す図である。
【図５】実施例２の表示装置の光源を点灯した状態の写真を示す図である。
【図６】従来例の透光性表示板を説明するための図である。
【図７】図７とは異なる従来例の透光性表示板を説明するための図である。
【符号の説明】
【００２４】
１０、１０ａ、１０ｂ  表示装置
１２  透明板
１４  表示部
１６  光源部
１８  反射部
１８ａ  投影領域
２０  反射面
【手続補正２】
【補正対象書類名】図面
【補正対象項目名】全図
【補正方法】変更
【補正の内容】
【図１】
0003149653.tif 000011
【図２】
0003149653.tif 000012
【図３】
0003149653.tif 000013
【図６】
0003149653.tif 000014
【図７】
0003149653.tif 000015
【図４】
0003149653.tif 000016
【図５】
0003149653.tif 000017